(57)【要約】【課題】本考案は、接着剤を使わないでも、蛍光灯台座と発光ダイオードを安定させて、均一に結合させることができる照明器具構造を提供する。【解決手段】本考案の照明器具構造は、蛍光灯台座を備え、前記蛍光灯台座には、少なくとも一つの発光ダイオードが設けられた回路板が結合される。その内、前記蛍光灯台座には、回路板が結合される結合面が設けられ、前記結合面上には、二つの対応する側壁が設けられる。以上の構造より、回路板を蛍光灯台座結合面上に置いて、二つの側壁を圧迫すると、回路板と蛍光灯台座がしっかりと一体に連結される。【選択図】図４
0003176953.tif 000002
【実用新案登録請求の範囲】
【請求項１】
照明器具構造であって、
前記照明器具構造は、蛍光灯台座を備え、前記蛍光灯台座には、少なくとも一つの発光ダイオードが設けられた回路板が結合され、
前記蛍光灯台座上には、回路板が結合される結合面が設けられ、前記結合面上には、二つの対応する側壁が設けられ、
それにより、回路板を蛍光灯台座結合面上に置き、二つの側壁を圧迫すると、回路板と蛍光灯台座はしっかりと一体に連結されることを特徴とする、照明器具構造。
【請求項２】
前記蛍光灯台座は、アルミ押出一体成型からなる放熱材であることを特徴とする、請求項１に記載の照明器具構造。
【請求項３】
前記蛍光灯台座結合面の二つの側壁間の距離は、回路板の幅より少し大きいことを特徴とする、請求項１に記載の照明器具構造。
【請求項４】
前記蛍光灯台座結合面上の二つの外側端には、蛍光灯カバーを結合するための係合溝が設けられることを特徴とする、請求項１に記載の照明器具構造。
【請求項５】
前記蛍光灯台座結合面上の二つの側壁頂部には、外側へ傾斜した角が設けられることを特徴とする、請求項１に記載の照明器具構造。
【考案の詳細な説明】
【技術分野】
【０００１】
本考案は蛍光灯台座と発光ダイオードをしっかりと且つ均一に結合させることができる照明器具構造に関し、特にＴ５或いはＴ８蛍光灯などの発光ダイオード蛍光灯に適用される照明器具構造に関する。
【背景技術】
【０００２】
一般的なＬＥＤ蛍光灯には、ＬＥＤモジュールを設ける長棒状の台座と、台座に設けられるとともにＬＥＤモジュールを覆う長棒状蛍光灯カバーとが設けられ、台座と蛍光灯カバーの両端の差込口を受け口につなぐことで、ＬＥＤモジュールが必要な電源を供給することができる。しかしながら、従来のＬＥＤ蛍光灯のＬＥＤモジュールと台座の連結構造は決して強固ではなく、最もよく見られる方法は、接着剤を塗布することによって、両者を粘着させると同時に、ＬＥＤモジュールから生じた熱を接着剤を介して外に拡散させる、という方法である。この種の方式は、結合するという目的を達成することはできるものの、接着剤をＬＥＤモジュールに塗布した時、塗り過ぎたり或いは塗るのが少なすぎたりする塗布が不均一な状況が発生しやすく、接着剤の塗布が不均一の時、ＬＥＤモジュールと台座をぴったりと貼りつかせることができないため、ＬＥＤ蛍光灯が振動を受けたり、揺れたり、ぶつかったりすると、ＬＥＤモジュールは簡単にぐらついたり外れたりして、中身が壊れてしまうことがある。これが、従来の技術の主な欠点となっている。
【考案の概要】
【考案が解決しようとする課題】
【０００３】
そこで、本考案は、接着剤を使わないでも、蛍光灯台座と発光ダイオードを安定させて、均一に結合させることができる照明器具構造を提供することを目的とする。
【０００４】
また、本考案は、発光ダイオードから生じる熱を効果的に放熱させることができる照明器具構造を提供することを目的とする。
【課題を解決するための手段】
【０００５】
上述の目的を達成するために、本考案の照明器具構造は、蛍光灯台座を備え、前記蛍光灯台座には、少なくとも一つの発光ダイオードが設けられた回路板が結合される。その内、前記蛍光灯台座には、回路板が結合される結合面が設けられ、前記結合面上には、二つの対応する側壁が設けられる。以上の構造より、回路板を蛍光灯台座結合面上に置いて、二つの側壁を圧迫すると、回路板と蛍光灯台座がしっかりと一体に連結される。
【考案の効果】
【０００６】
本考案は、従来の技術と比較して突出した利点がある。
１、発光ダイオードを結合した回路板を、蛍光灯台座結合面の二つの側壁の間に配置し、挟み器具によって、二つの側壁に力を加えることで、回路板は蛍光灯台座にしっかりと固定される。従って、従来の、接着剤を使用すると塗布が不均一になるという問題を改善することができる。
２、対応する二つの側壁の頂部に、外側へ傾斜した角を設けることにより、挟み器具に力を加えて挟んだ時に、挟み器具が側壁からはずれてしまうことがない。
３、二つの側壁を利用して、回路板と蛍光灯台座を一体に連結させることにより、蛍光灯台座結合面と回路板をほとんど同一部材にすることができ、蛍光灯台座の導熱姓を向上させることができる。
【図面の簡単な説明】
【０００７】
【図１】本考案の実施例１の外観を示した斜視図である。
【図２】本考案の実施例１の構成部材を示した分解図である。
【図３】本考案の実施例１を組み合わせる前の状態を示した断面図である。
【図４】本考案の実施例１を組み合わせた後の状態を示した断面図である。
【図５】本考案の実施例２の外観を示した斜視図である。
【考案を実施するための形態】
【０００８】
（実施例１）
図１と図２に示すように、本考案のＬＥＤ蛍光灯１には、蛍光灯台座１１が設けられ、蛍光灯台座１１には、少なくとも一つの発光ダイオード１７が設けられる回路板１６が結合される。その内、蛍光灯台座１１上には、回路板１６を結合する結合面１２が設けられ、結合面１２の向かい合う両側には、頂部に外側へ傾斜した角１４を備える側壁１３が設けられ、結合面１２の二つの外側端縁には、蛍光灯カバーが結合される係合溝１５が設けられる。また、本実施例の蛍光灯台座１１の背面における両側の係合溝１５の間には、連結弧が設けられ、蛍光灯台座１１全体が、半円形蛍光灯台座を形成する。
【０００９】
図３に示すように、発光ダイオード１７を結合した回路板１６を、蛍光灯台座１１の二つの側壁１３間の結合面１２上に置き、回路板１６の底部と結合面１２表層を相互に接触させる。この時、挟み器具を二つの側壁１３の外側に置いて、挟み器具に対して力をいれると、挟み器具が二つの側壁１３に対して内側に押す力を加える。そうすると、図４に示すように、二つの側壁１３が回路板１６の両側にそれぞれ当接する。なお、挟み器具は、二つの側壁１３上の外側へ傾斜した角１４によって制限されるため、力を入れても側壁１３から簡単に外れない。このように、二つの側壁１３の左右を圧迫することにより、回路板１６は、蛍光灯台座１１の上にしっかりと固定される。
【００１０】
（実施例２）
また、図５を参照する。図５は、本考案の実施例２である。ＬＥＤ蛍光灯２には、「工」字状を呈する蛍光灯台座２１が設けられる。工字状蛍光灯台座２１の両側の凹溝は、蛍光灯カバーを結合するための係合溝２５を形成する。また、蛍光灯台座２１の一側の平面の対応する両側には、頂部が外側へ傾斜した角２４を備える側壁２３が設けられ、二つの側壁２３の間は、回路板２６を結合する結合面２２を形成する。発光ダイオード２７を結合した回路板２６を蛍光灯台座２１の結合面２２上に置き、回路板２６の底部と結合面２２表層を相互に接触させ、挟み器具を二つの側壁２３の外側に置き、挟み器具で力を入れると、挟み器具によって、二つの側壁２３は内側に押す力がかかる。それにより、二つの側壁２３が回路板２６の両側に当接し、回路板２６を、接着剤を使用しない状況でも、蛍光灯台座２１にしっかり結合することができる。
【符号の説明】
【００１１】
１      ＬＥＤ蛍光灯
１１    蛍光灯台座
１２    結合面
１３    側壁
１４    外側へ傾斜した角
１５    係合溝
１６    回路板
１７    発光ダイオード
２      ＬＥＤ蛍光灯
２１    蛍光灯台座
２２    結合面
２３    側壁
２４    外側へ傾斜した角
２５    係合溝
２６    回路板
２７    発光ダイオード
【図１】
0003176953.tif 000003
【図２】
0003176953.tif 000004
【図３】
0003176953.tif 000005
【図４】
0003176953.tif 000006
【図５】
0003176953.tif 000007